(57)【要約】      （修正有）【課題】括れ部の深さが浅くなり意匠性を損なうことを防止することができるとともに、上記複数の開口から容器内部に塵埃が侵入する危険性を有効に防止することができる新規な包装用容器を提供する。【解決手段】左右両側がそれぞれ山部となるように折曲されることにより被収容物を収容する収容空間を形成してなる複数の側板部２ｃ、２ｄと、これらの側板部の高さ方向における中途部において周回り方向に並んでそれぞれ形成された菱形状の開口２ｕ，２ｖと、これらの開口の上下両側が山部となるように折曲されるとともに該開口の中央において谷部となるように折曲されることにより周回り方向に形成された括れ部２ａと、を備える。括れ部には、括れ部の最も深い位置における径と同じか又は径よりも短い径となされた紐状又は帯状の締付け部材としてのゴムリング３が配置されてなる。【選択図】図２
0003188443.tif 000002
【実用新案登録請求の範囲】
【請求項１】
内部に被収容物を収容するとともに台紙を折曲することにより立体状に成形されてなる包装用容器であって、
左右両側がそれぞれ山部となるように折曲されることにより上記被収容物を収容する収容空間を形成してなる複数の側板部と、これらの側板部の高さ方向における中途部において周回り方向に並んでそれぞれ形成された菱形状の開口と、これらの開口の上下両側が山部となるように折曲されるとともに該開口の中央において谷部となるように折曲されることにより周回り方向に形成された括れ部と、を備え、
上記括れ部には、該括れ部の最も深い位置における径と同じか又は該径よりも短い径となされた紐状又は帯状の締付け部材が配置されてなることを特徴とする包装用容器。
【請求項２】
前記締付け部材は、ゴム又は軟性樹脂を素材とし径が弾性変位自在とされてなる弾性リングであることを特徴とする請求項１記載の包装用容器。
【考案の詳細な説明】
【技術分野】
【０００１】
本考案は、内部に食品その他の被収容物を収容するために使用される包装用容器に関し、特に紙等によるシート状の台紙又はブランクを適宜折曲することにより内部に収容空間を形成する包装用容器に関するものである。
【背景技術】
【０００２】
シート状の台紙又はブランクを適宜折曲することにより内部に収容空間を形成する包装用容器は、これまで各種の提案がなされ実施されている。例えば、内部に菓子を収容する包装用容器は、上面に開口を有し箱状に成形された容器本体と、この開口を閉塞する蓋体とから構成されたものばかりではなく、各側板部により筒状の成形された該側板部に底板部や天板部をフラップとして連続させ、これらのフラップを折り曲げることにより、それぞれ蓋板部や底板部とされているタイプの包装用容器も多い。また、こうしたタイプの包装用容器では、上記側板部の形状についても、４つの側板部により直方体状に成形されているもの以外に、例えば、五つ以上の側板部により外形形状が五角柱や六角柱状等に成形されている包装用容器も広く実施されている。
【０００３】
ところで、上述したように、上記側板部の数を増加させることにより徐々に外形形状が円柱状に近い形状に成形されることとなるが、こうした立体状の容器の意匠性をさらに向上させるために、この容器の中途部において複数の開口、とりわけ縦方向に長さを有する菱形の開口を周回り方向に複数形成するとともに、これらの開口の上下及び該開口の中央の計３か所をそれぞれ容器の内部方向に折曲することにより、上記それぞれの開口が閉塞され、その結果、この容器の周回り方向に（リング状の）括れ部を形成することが可能となる。そして、こうした括れ部を境に、例えば、下方は人や動物或いはキャラクター等の頭部とし、該括れ部の下方は胴部とし、それぞれには該人や動物等の模様を描くことにより、全体としては、立体的な人形や動物等としての外観とすることが可能となる。
【考案の概要】
【考案が解決しようとする課題】
【０００４】
しかしながら、上述した包装用容器のように、周回り方向に複数の菱形状の開口を設けることにより括れ部を形成した場合には、上記３個所において折曲した位置が折曲する前の状態に戻り、設計上の括れの深さが浅くなる場合が多く、全体の意匠性を損なうことになるばかりではなく、それまで閉塞されていた開口がそれぞれ開放されることとなり、これらの開口から容器内部に塵埃が侵入することとなる。
【０００５】
そこで、本考案は、上述した菱形状の開口を複数形成することにより括れ部を形成した包装用容器が有する課題を解決するために提案されたものであって、括れ部の深さが浅くなり意匠性を損なうことを防止することができるとともに、上記複数の開口から容器内部に塵埃が侵入する危険性を有効に防止することができる新規な包装用容器を提供することを目的とするものである。
【課題を解決するための手段】
【０００６】
本考案は、上記目的を達成するために提案されたものであって、第１の考案（請求項１記載の考案）は、内部に被収容物を収容するとともに台紙を折曲することにより立体状に成形されてなる包装用容器であって、左右両側がそれぞれ山部となるように折曲されることにより上記被収容物を収容する収容空間の一部を形成してなる複数の側板部と、これらの側板部の高さ方向における中途部において周回り方向に並んでそれぞれ形成された菱形状の開口と、これらの開口の上下両側が山部となるように折曲されるとともに該開口の中央において谷部となるように折曲されることにより周回り方向に形成された括れ部と、を備え、上記括れ部には、該括れ部の最も深い位置における径と同じか又は該径よりも短い径となされた紐状又は帯状の締付け部材が配置されてなることを特徴とするものである。
【０００７】
上記第１の考案に係る包装用容器では、括れ部には、該括れ部の最も深い位置における径と同じか又は該径よりも短い径となされた紐状又は帯状の締付け部材が配置されてなることから、上記括れ部の形状又はその深さが変化することがなく、設計上の意匠性を保持することが可能となるとともに、上記それぞれの開口が開いてしまうことを防止することが可能となることから、該開口から容器内部に塵埃が侵入する危険性を有効に防止することができる。
【０００８】
なお、上記第１の考案に係る包装用容器では、上記側板部に上記括れ部が形成され、該括れ部に上記締付け部材が配置されているものであれば良く、蓋となる部分には、上記側板部と連続してなる蓋板部が形成されているものであっても良いし、この側板部とは別個に形成・成形された蓋体により閉塞されてなるものであっても良い。また、こうした蓋と同様に、底の部分においても、上記側板部と連続してなる蓋板部が形成されているものであっても良いし、この側板部とは別個に形成・成形された底体により閉塞されてなるものであっても良い。また、上記台紙は、必ずしも紙を素材とするものであるばかりではなく、樹脂シートからなるものであっても良い。また、上記締付け部材は、少なくとも素材は特に限定されるものではないとともに、上記括れ部に装着・配置した状態においては無端状とされていれば良く、装着される前の状態は、１本の線状とされてなるものであっても良い。例えば、この締付け部材は、帯状体に成形され、上記括れ部に装着された場合には、正面でリボンのように結ばれてなるものであっても良い。さらに、この締付け部材は、上記括れ部に配置・装着された際において、該括れ部全体を隠すことができる大きさ又は太さである必要性はなく、したがって、上記菱形状の開口を閉塞することができるものであれば、該開口を形成する台紙の縁が外部に露出しているものであっても良い。
【０００９】
また、第２の考案（請求項２記載の考案）は、上記第１の考案において、前記締付け部材は、ゴム又は軟性樹脂を素材とし径が弾性変位自在とされてなる弾性リングであることを特徴とするものである。
【００１０】
この第２の考案に係る包装用容器では、上記締付け部材がゴム又は軟性樹脂を素材とし径が弾性変位自在とされてなる弾性リングであることから、容器への装着作業も容易となるとともに不用意に脱落することも防止することができる。
【００１１】
なお、上記弾性リングは、その素材が外部に露出しているものであっても良いが、表面が着色され、又は糸等の細い線状体により装飾が施されているもの、さらに鈴やリング等の付属的な装飾体が挿通される等して取り付けられているものであっても良く、こうした装飾又は装飾体を用いることにより、より一層包装用容器としての意匠性を向上させることができる。
【考案の効果】
【００１２】
上記第１の考案（請求項１記載の考案）に係る包装用容器では、上記締付け部材を配置することにより、菱形状の開口を複数形成することにより括れ部を形成した包装用容器であっても、括れ部の深さが浅くなり意匠性を損なうことを防止することができるとともに、上記複数の開口から容器内部に塵埃が侵入する危険性を有効に防止することができる。
【００１３】
また、第２の考案（請求項２記載の考案）に係る包装用容器では、上記締付け部材がゴム又は軟性樹脂を素材とし径が弾性変位自在とされてなる弾性リングであることから、容器への装着作業も容易となるとともに不用意に脱落することも防止可能となる。
【図面の簡単な説明】
【００１４】
【図１】本考案の実施の形態に係る包装用容器を示す斜視図である。
【図２】図１に示す包装用容器を容器本体とゴムリングとに分解して示す分解斜視図である。
【図３】図１に示す包装用容器の外蓋板部を開蓋した状態を示す斜視図である。
【図４】図３に示す包装用容器の内蓋板部を開蓋した状態を示す斜視図である。
【図５】図４に示す包装用容器の底板部を開放した状態を示す斜視図である。
【図６】容器本体の展開図である。
【考案を実施するための形態】
【００１５】
以下、本考案を実施するための最良の形態に係る包装用容器について、それぞれ図面を参照しながら詳細に説明する。
【００１６】
この実施の形態に係る包装用容器１は、菓子等の食品を収容する容器に本考案を適用したものであり、図１に示すように、全体の外観が招き猫の形状及び模様が装飾され、内部には、図示しない菓子等の食品が収容される容器本体２と、この容器本体２に配置された締付け部材としてのゴムリング３とから構成されている。上記容器本体２は、紙を素材とするものであり、該容器本体２の高さ方向の中途部には、図１又は図２に示すように、本考案を構成する括れ部２ａが周回り方向に形成され、この括れ部２ａを境に上側板部（符号は省略する。）と下側板部（符号は省略する。）に、側板部（符号は省略する。）が区画されている。そして、上記ゴムリング３は、上記括れ部２ａに装着され、このゴムリング３には、小リング４が外嵌挿されてなるとともに該小リング４には金色に着色された鈴５が取り付けられている。なお、上記ゴムリング３は、図示しないゴムバンドの表面に赤色の糸（符号は省略する。）が巻回されてなるものであり、この括れ部２ａに装着される前の自然状態においては、図２に示すように、該括れ部２ａの径よりも小径とされている。
【００１７】
また、この容器本体２は、図６に示す形状に成形された台紙（ブランク）が折曲され、後述するのり代部において互いに接着されてなるものであり、図６に示すように、上記側板部は、第１ないし第６の上側板部２ｂ・・・２ｇと、第１ないし第６の下側板部２ｈ・・・２ｍとから構成されている。そして、上記第１の上側板部２ｂと第１の下側板部２ｈとの間には、第１の括れ形成板部２ｎが形成され、上記第２の上側板部２ｃと第２の下側板部２ｉとの間には、第２の括れ形成板部２ｏが形成され、上記第３の上側板部２ｄと第３の下側板部２ｊとの間には、第３の括れ形成板部２ｐが形成され、上記第４の上側板部２ｅと第４の下側板部２ｋとの間には、第４の括れ形成板部２ｑが形成され、上記第５の上側板部２ｆと第５の下側板部２ｌとの間には、第５の括れ形成板部２ｒが形成され、上記第６の上側板部２ｇと第６の下側板部２ｍとの間には、第６の括れ形成板部２ｓが形成されている。また、上記第１ないし第６の上側板部２ｂ・・・２ｇのそれぞれ左右は、外観形状が山となるように折曲される折曲部（符号は省略する。）を介して接続され、上記第１ないし第６の下側板部２ｈ・・・２ｍのそれぞれ左右も、外観形状が山となるように折曲される折曲部（符号は省略する。）を介して接続されている。
【００１８】
また、上記第１ないし第６の括れ形成板部２ｎ・・・２ｓと上記第１ないし第６の上側板部２ｂ・・・２ｇとの間は、外観形状が山となるように折曲される折曲部（符号は省略する。）とされ、上記第１ないし第６の括れ形成板部２ｎ・・・２ｓと上記第１ないし第６の下側板部２ｈ・・・２ｍとの間は、外観形状が山となるように折曲される折曲部（符号は省略する。）とされている。また、第１の括れ形成板部２ｎと第２の括れ形成板部２ｏとの間には第１の菱形状開口２ｔが形成され、第２の括れ形成板部２ｏと第３の括れ形成板部２ｐとの間には第２の菱形状開口２ｕが形成され、第３の括れ形成板部２ｐと第４の括れ形成板部２ｑとの間には第３の菱形状開口２ｖが形成され、第４の括れ形成板部２ｑと第５の括れ形成板部２ｒとの間には第４の菱形状開口２ｗが形成され、第５の括れ形成板部２ｒと第６の括れ形成板部２ｓとの間には第５の菱形状開口２ｘが形成されている。また、上記第１の括れ形成板部２ｎの右側（第２の括れ形成板部２ｏとは反対側）には菱形状開口の半分の形状とされた一方の切欠き２ｙが形成され、上記第６の括れ形成板部２ｓの右側（第５の括れ形成板部２ｒとは反対側）には、他方の切欠き２ｚが形成されており、上記一方の切欠き２ｙと他方の切欠き２ｚとが、後述するのり代部を互いに接着することにより、図示しない第６の菱形状開口となる。すなわち、この容器本体２の上記括れ部２ａには、第１ないし（図示しない）第６の菱形状開口２ｔ・・・２ｘが形成されている。これら第１ないし第６の菱形状開口２ｔ・・・２ｘは、それぞれ上記第１ないし第６の括れ形成板部２ｎ・・・２ｓの幅方向に長さを有する菱形状に成形されたものである。また、上記第１ないし第６の括れ形成板部２ｎ・・・２ｓは、それぞれの長さ方向の中央で谷が形成されるように折曲部（符号は省略する。）を介して折曲される部位である。
【００１９】
なお、図６に示すように、上記第１の上側板部２ｂの右側（第２の上側板部２ｃとは反対側）には、第１ののり代板部６が形成され、上記第１の下側板部２ｈの右側（第２の下側板部２ｉとは反対側）には、第２ののり代板部７が形成されている。上記第１ののり代板部６は、上記第６の上側板部２ｇの裏面に接着される部位であり、上記第２ののり代板部７は、上記第６の下側板部２ｍの裏面に接着される部位である。そして、この容器本体２は、上記第１及び第２ののり代板部６，７がそれぞれ上記第６の上側板部２ｇ又は第６の下側板部２ｍの裏面に接着されることにより、全体の外観形状が、図１ないし図５にそれぞれ示すように、六角柱に成形されてなるものである。また、上記第２の上側板部２ｃ及び第２の下側板部２ｉは、図１ないし図５に示すように、それぞれこの包装用容器１の正面を構成する側板部であり、この第２の上側板部２ｃの上端には、容器本体２の外蓋板部８が形成されている。また、図６に示す第５の上側板部２ｆ及び第５の下側板部２ｌは、この包装用容器１の背面を構成する側板部であり、この第５の上側板部２ｆの上端には、容器本体２の内蓋板部９が形成されている。これら外蓋板部８及び内蓋板部９は、それぞれ六角形状に成形されてなるものであり、該外蓋板部８の端部（第２の上側板部２ｃとは反対側）には、図３ないし図５に示すように、略六角状に成形された挿入用フラップ１０が形成され、また、この外蓋板部８には、中央を挟んだ左右両側には、略Ｕ字状のスリット８ａ，８ｂが形成されている。なお、この容器本体２では、これらのスリット８ａ，８ｂに囲まれた部位が起立するように折り曲げることにより、デザイン上招き猫の耳８ｃ，８ｄとされている。また、上記内蓋板部９は、図３に示すように、上記外蓋板部８の内側に配置される部位であり、該第外蓋板部８と同じ形状に成形され、上記第５の上側板部２ｆ側には、上記挿入用フラップ１０が挿入されるスリット９ａが形成されている。また、上記内蓋板部９の端部（第５の上側板部２ｆとは反対側）には、上記第１ないし第６の上側板部２ｂ・・・２ｇにより囲まれた空間（容器本体２内の収容空間）内に挿入される中央挿入フラップ１１と、この中央挿入フラップ１１の左側に形成され第１ないし第６の上側板部２ｂ・・・２ｇにより囲まれた空間内に挿入される左挿入フラップ１２と、上記中央挿入フラップ１１の右側に形成され第１ないし第６の上側板部２ｂ・・・２ｇにより囲まれた空間内に挿入される右挿入フラップ１３とがそれぞれ形成されている。なお、上記中央挿入フラップ１１は、上記容器本体２を構成する第２の上側板部２ｃの裏面に対向する部位であり、上記左挿入フラップ１２は、上記第３の上側板部２ｄの裏面に対向する部位であり、上記右挿入フラップ１３は、上記第１の上側板部２ｂの内側に対向する部位である。また、図６に示すように、上記左挿入フラップ１２及び上記右挿入フラップ１３には、それぞれ円弧状のスリット１２ａ，１３ａが形成され、図４又は図５に示すように、これら左挿入フラップ１２及び右挿入フラップ１３を上記内蓋板部９に対して直角に折曲するとともに、上側板部により囲まれた空間を閉塞する（図３参照）ことにより、上記スリット１２ａ，１３ａにより囲まれた突出片１２ｂ，１３ｂ（図１又は図２参照）が、第３の上側板部２ｄ又は第１の上側板部２ｂの上端から水平に突出するように構成されている。
【００２０】
また、上記第２の下側板部２ｉの端部（上記第２の括れ形成板部２ｏ側とは反対側）には、図５又は図６に示すように、底板部１５が形成されている。この底板部１５は、上記外蓋板部８や内蓋板部９と同じように六角形状に成形されてなるものであり、上記第２の括れ形成板部２ｏとの境に形成された折曲部の左側には、左挿入フラップ１６が形成され、右側には右挿入フラップ１７が形成されている。これら左挿入フラップ１６及び右挿入フラップ１７は、いずれも上記第１ないし第６の下側板部２ｈ・・・２ｍにより囲まれた空間（容器本体２内の収容空間）内に挿入される部位であり、上記左挿入フラップ１６は該空間内に挿入されることにより、上記第３の下側板部２ｊの内側に対向する部位であり、上記右挿入フラップ１７は該空間内に挿入されることにより、上記第１の下側板部２ｈの内側に対向する部位である。さらに、この底板部１５の端部（第２の下側板部２ｉ方向とは反対方向）には、上記第５の下側板部２ｌの内側に対向する第３の挿入フラップ１８が形成されている。
【００２１】
また、上記第１の下側板部２ｈの端部には、円弧状に成形された第１の露出フラップ１９が形成され、上記第３の下側板部２ｊの端部にも、円弧状の成形された第２の露出フラップ２０が形成されている。これら第１及び第２の露出フラップ１９，２０は、何れもデザイン（模様）としての招き猫の足の部分である。また、上記第３の下側板部２ｊの略中央には、図６に示すように、略円弧状のスリット２１が形成され、このスリット２１により囲まれた部位は、図１ないし図５に示すように、外側に折曲げられ、第３の露出フラップ２２として構成されている。なお、この第３の露出フラップ２２は、デザイン（模様）としての招き猫の右手の部分である。また、この第３の下側板部２ｊに上記第３の露出フラップ２２が起立するよう折曲げられたことにより形成される開口（符号は省略する。）は、この第３の下側板部２ｊの裏面（内側）に接着された透明のフィルム２３により閉塞されている。また、図６に示すように、上記第４の下側板部２ｋの端部には、該第４の下側板部２ｋに対して直角に折曲されることにより上記底板部１５の上面に対向する左下フラップ２４が形成され、上記第６の下側板部２ｍの端部には、該第６の下側板部２ｍに対して直角に折曲されることにより上記底板部１５の上面に対向する右下フラップ２５が形成されている。また、上記第４の上側板部２ｅの端部には、該第４の上側板部２ｅに対して直角に折曲されることにより上記内蓋板部９の下面を支持する左上フラップ２６が形成され、上記第６の上側板部２ｇの端部には、該第６の上側板部２ｇに対して直角に折曲されることにより上記内蓋板部９の下面を支持する右上フラップ２７が形成されている。
【００２２】
なお、上述した容器本体２のデザインに関して補足すれば、この容器本体２の正面を構成する上記第２の上側板部２ｃ及び第３の上側板部２ｄ並びに第１の上側板部２ｂには、招き猫の目，鼻及び髭がそれぞれ描かれており、第２の括れ形成板部２ｏから第２の下側板部２ｉには上記招き猫の前掛けが、また、該第２の下側板部２ｉには、小判が描かれ、第１の下側板部２ｈには上記小判を持つ左手が描かれている。また、上記内蓋板部１２の上面には、「大吉」の文字や猫の足跡がそれぞれ描かれ、上記第５の下側板部２ｌには、招き猫の尾が描かれている。
【００２３】
したがって、上述した包装用容器１によれば、上記第１ないし第６の括れ形成板部２ｎ・・・２ｓにより形成された（上記第１ないし第６の上側板部２ｂ・・・２ｇと第１ないし第６の下側板部２ｍとの間に形成された）括れ部２ａは、上記ゴムリング３の弾性力により、設計上の括れ状態を維持することが可能となるとともに、上記第１ないし第６の菱形状開口２ｔ・・・２ｘは、常に閉塞された状態を維持することが可能となり、該第１ないし第６の菱形状開口２ｔ・・・２ｘから容器本体２内に塵埃が侵入することを防止することが可能となる。特に、上記実施の形態に係る包装用容器１では、本考案を構成する締付け部材として、上記ゴムリング３を用いていることから、上記容器本体２の括れ部２ａへの装着作業も極めて簡便なものとすることができる。
【００２４】
なお、上記実施の形態に係る包装用容器１では、内部に菓子等の食品を収容するために用いられる容器に本考案を適用したものであるが、この考案は、上記食品を収容するものばかりではなく、靴下，ネクタイ又はハンカチ等の衣料品やネックレスや指輪等の宝飾品、さらには文房具等を収容するものに適用したものであっても良い。また、この実施の形態では、招き猫の模様が描かれているが、本考案においては、言うまでも無く模様の有無は問われないとともに、模様が描かれる場合であっても、容器本体２内に収容される被収容物や販売の時期その他の条件により、適宜任意の模様とすることができる。さらに、上記実施の形態に係る包装用容器１では、外形形状が略６各柱状に成形されたものを図示して説明したが、この考案に係る包装用容器では、左右両側がそれぞれ山部となるように折曲されることにより上記被収容物を収容する収容空間を形成してなる複数の側板部を備えているものであれば、その具体的外形形状は、例えば、４角柱状，５角柱状等多角柱状であっても良い。
【符号の説明】
【００２５】
１  包装用容器
２  容器本体
２ａ  括れ部
２ｂ・・・２ｇ  第１ないし第６の上側板部
２ｈ・・・２ｍ  第１ないし第６の下側板部
２ｆ・・・２ｘ  第１ないし第６の開口
３  ゴムリング
【図１】
0003188443.tif 000003
【図２】
0003188443.tif 000004
【図３】
0003188443.tif 000005
【図４】
0003188443.tif 000006
【図５】
0003188443.tif 000007
【図６】
0003188443.tif 000008